(57)【特許請求の範囲】
【請求項１】
海中に設置した石油又は天然ガス井鋼管４が破損したとき、この内部に吊下げ設置した
挿入管６を通して磁石粒21等を海底深く送り込むため、挿入管６の下方より石油等の湧出を、その管上部口7に取付けた磁石粒等送込み装置12下部のゲートバルブ20により閉鎖した後、この装置上部の切換バルブ19と前記ゲートバルブ20を同時に開いて、圧力水を回転台13の磁石粒等収納室14に注入して、内部の磁石粒21等を挿入管６内に押し流し、その下端まで落下させることにより、この磁石粒21等は鋼管４内の石油等の流れにのって挿入管６に取付けた円錐金網11に達し、これに遮られ、鋼管４の内面に磁力により附着し、この附着面は順次下方に拡がり、挿入管６の先端の、網状円板８まで達し、更に鋼管４内部に満ち磁力により塊となって石油又は天然ガスの湧出を抑制した後、挿入管６の上部口７よりモルタル又はコンクリート27等を圧入して、硬化させることを特徴とする海中油井鋼管等の破損による石油等の湧出を閉鎖する方法
【請求項２】
磁石粒等送込装置12の収納室14に数個の分室をもつ非磁性の受枠16を取り付け、これに磁石粒21を収納し、これらを圧力水により隔壁31により同数の区画に分割された挿入管６に同時に流出させるようにすることを特徴とする請求項１記載の海中油井鋼管等の破損による石油等の湧出を閉鎖する方法
【請求項３】
挿入管６は鋼管４の折損時、同時に切断されることを防ぐため、ポリエチレン管の管肉内の中央周上に多数本の柔軟性のある鋼索29を管軸方向に埋設し、この鋼索30の重量により海中に沈降しうるようにした鋼索補強ポリエチレン製挿入管27の使用することを特徴とする請求項１又は２記載の海中油井鋼管等の破損による石油等の湧出を閉鎖する方法
【発明の詳細な説明】
【技術分野】
【０００１】
本発明は海に設置された原油又は天然ガス吸上げ用鋼管が折損した場合に、この鋼管より流出する油等を閉鎖する
【背景技術】
【０００２】
海中油井鋼管破損孔より油が流出したとき、これを閉鎖する方法として、この孔より挿入管を差込み、コンクリートを注入しても油の湧出圧により押し返され、海水中に分散され硬化できない
【０００３】
このため別の方法として、海底に埋設している場所の近くに、別の鋼管一本を掘り下げて、海底土中に埋設している場所の破損鋼管の横腹に連結し、この別の鋼管より遮蔽物を押込んで油の湧出を抑制した後、コンクリートの注入を行う方法が採用されることもある。然しこの方法は困難な大工事であり、短時間では解決することは困難である
【発明の概要】
【発明が解決しようとする課題】
【０００４】
本発明は海中油井鋼管破損孔より挿入管を差し込んだだけでコンクリートを注入しても油の湧出圧により押し返されるため、コンクリート注入に先立って原油の湧出を豫め抑制する方法を採用することが必要である
【課題を解決するための手段】
【０００５】
海中に設置した石油又は天然ガス井鋼管４が破損したとき、この内部に吊下げ設置した挿入管６を通して磁石粒21等を海底深く送り込むため挿入管６の下方よりの石油等の湧出を、その管上部口７に取付けた磁石粒等送込装置12下部のゲートバルブ20により閉鎖した後、この装置上部の切換バルブ19と前記ゲートバルブ20を同時に開いて圧力水を回転台13の磁石粒等収納室14に注入して、内部の磁石粒21等を挿入管６内に押し流し、その下端まで落下させることにより、この磁石粒21等は鋼管４内の石油等の流れにのって挿入管６に取付けた円錐金網11に達し、これに遮られ、鋼管４の内面に磁力により附着し、この附着面は順次下方に拡がり、挿入管６の先端の網状円板８まで達し、更に鋼管４内部に満ち、磁力により塊となって石油又は天然ガスの湧出を抑制した後、挿入管６の上部口７よりモルタル又はコンクリート27等を圧入して、硬化させて石油又は天然ガスの湧出を閉鎖する方法
【図面の簡単な説明】
【０００６】
【図１】本発明の実施形態の実施例として、挿入管を取付けた鋼管に亀裂の入った状態を示す縦断面図
【図２】図１の一部拡大縦断面図
【図３】図２のA―A断面図
【図４】本発明の実施形態の実施例として、鋼管内に磁石粒充填の初段階の状態を示す縦断面図
【図５】同上鋼管内に磁石粒充填の終段階の状態を示す縦断面図
【図６】本発明の挿入管の上に磁石粒等送込装置を取付けた状態を示す縦断面図
【図７】図６のB−B断面図
【図８】本発明の実施のために使用する磁石粒の複合棒の平面図
【図９】図８のC−C断面図
【図１０】本発明の実施のために使用する鋼索補強ポリエチレン製挿入管の縦断面図
【図１１】図10のD−D断面図
【発明を実施するための形態】
【０００７】
海中に設置した石油又は天然ガス井鋼管４が破損したとき、この内部に吊下げ設置した挿入管６を通して磁石粒21等を海底深く送り込むため挿入管６の下方よりの石油等の湧出を、その管上部口７に取付けた磁石粒等送込装置12下部のゲートバルブ20により閉鎖した後、この装置上部の切換バルブ19と前記ゲートバルブ20を同時に開いて圧力水を回転台13の磁石粒等収納室14に注入して、内部の磁石粒21等を挿入管６内に押し流し、その下端まで落下させることにより、この磁石粒21等は鋼管４内の石油等の流れにのって挿入管６に取付けた円錐金網11に達し、これに遮られ、鋼管４の内面に磁力により附着し、この附着面は順次下方に拡がり、挿入管６の先端の網状円板８まで達し、更に鋼管４内部に満ち、磁力により塊となって石油又は天然ガスの湧出を抑制した後、挿入管６の上部口７よりモルタル又はコンクリート27等を圧入して、硬化させて石油又は天然ガスの湧出を閉鎖する方法である
【０００８】
磁石粒同志の附着による個別移送の困難を避けるため、多数の磁石粒の間に非磁性粘土22を介在させ長尺にした紙包装の磁石粒複合棒15を作成し、これを磁石粒等送込装置12の収納室14に収めて、これを圧力水により挿入管６内に流出させ、この磁石粒複合棒15が挿入管６末端より鋼管４に移る時、石油等により水溶性包紙23は融かされて磁石粒21は分散されて、各々の磁石粒21は鋼管４の内面に密着するようにした磁石粒の送込方法
【０００９】
図６に於いては磁石粒等送込装置12の収納室14に非磁性の受枠16を取付け、これに粘土22を介在させ長尺にした紙包装の磁石粒複合棒15を４本差し込み、回転台13を回転して、これを挿入管６の位置まで移動し切換バルブ19及びゲートバルブ20を開いて、ポンプ等により送られてくる圧力水により受枠16を残したまま４本の磁石粒複合棒15は隔壁31により４区画に分割された挿入管６に１本宛、同時に送込まれることになる。回転台13には８個の収納室14があり、ここに組込まれた磁石粒複合棒15は次々と送込まれていくため、多量の磁石粒21を連続して挿入管６に送込むことが可能である
【００１０】
磁石粒複合棒15の送り出しが終わると、圧力水切換バルブ19は副管路36に切り換えられ、又収納室14のゲートバルブ20が閉じられるので圧力水は副管路36を通じて挿入管６に流入するので、先に送られた磁石粒複合棒15は停滞することなく下方に押し流されるようになる
【００１１】
挿入管６はポリエチレン管、鋼索補強ポリエチレン管、耐衝撃性塩化ビニール管及びステンレス鋼管等の非磁性材の材質を用いる。そして挿入管６としては鋼管４の折損時、これに耐えうるよう管肉内の中央周上に多数本の柔軟性のある鋼索30を管軸方向に埋設して補強した鋼索補強ポリエチレン29は最適である。鋼索30の表面は凹凸があるためポリエチレン樹脂とは密着し、一体化することが出来る。猶、この管の接続のための管継手32は外周面近くに補強用金網33を、また、内周面近くにはニクロム線34を埋め込み射出成型により製造する。この内周の受口に鋼索補強ポリエチレン管29の管端を差込み、ニクロム線の端子35に通電して両者を融着することにより、引張外力に充分耐えることができる
【００１２】
磁石粒21は数粍より数十粍の大きさで、その形状は角棒形、丸棒形、板形等があり粘土又は水溶性の紙で包むか、又は粘土22を挟んで長手方向に連ねて水溶性の紙23で包み棒状とする。鉄粒としては球形、丸棒形、サイコロ形等のものを使用し、鉄粉を小石又は砂等と混ぜて使用することもある。鉄粉及び砂、小石は磁石粒送込装置12以外の別の投入口を用いて挿入管６内に送込んでもよい
【００１３】
網状円板８は銅合金又はステンレス鋼の吊棒９により吊下げる構造とし、円錐金網11は銅合金又はステンレス鋼で製作し、その外周は鋼管４の内周に接する寸法とする。円錐金網11の代わりに薄肉円筒の上半分を細かく縦割りして拡げた茶筅状金物を使用してもよい
【産業上の利用可能性】
【００１４】
配管破損の緊急時に、この磁石粒使用の方法は広く使用することができる
【符号の説明】
【００１５】
１・・・海面
２・・・海底
３・・・海水
４・・・石油又は天然ガス井鋼管
５・・・油井鋼管の折損箇所
６・・・挿入管
７・・・挿入管の上部口
８・・・網状円板
９・・・網状円板の吊棒
10・・・吊棒の取付ボルト
11・・・円錐金網
12・・・磁石粒等送込装置
13・・・回転台
14・・・回転台の磁石粒等収納室
15・・・磁石粒複合棒
16・・・磁石粒複合棒受枠
17・・・回転台軸面
18・・・回転台駆動用モータ
19・・・圧力水切換バルブ
20・・・収納室ゲートバルブ
21・・・磁石粒
22・・・粘土
23・・・水溶性包紙
24・・・鉄粉
25・・・砂・小石
26・・・鋼球
27・・・モルタル又はコンクリート
28・・・架台
29・・・鋼索補強ポリエチレン管
30・・・補強用鋼索
31・・・ポリエチレン管内隔壁
32・・・補強ポリエチレン管継手
33・・・補強用金網
34・・・ニクロム線
35・・・ニクロム線の端子
36・・・副管路
【要約】      （修正有）【課題】海中に設置された原油又は天然ガス吸上げ用鋼管が折損した場合に、鋼管より流出する原油又は天然ガスを湧出圧下で閉鎖する方法を提供する。【解決手段】破損した原油又は天然ガス井鋼管４の内部に吊下げ設置した挿入管６を通して磁石粒等を鋼管４折損箇所５より下部に送込むため、挿入管６の上部口７に取付けた磁石粒等送込装置の上部切換バルブと下部ゲートバルブの開閉操作により、該送込装置の磁石粒等収納室に注入した圧力水とともに磁石粒等を挿入管６内に押し流し、その下端まで落下させる。次に鋼管４内に堆積した磁石粒等を管内面に磁力により附着させて塊となし、原油又は天然ガスの湧出を抑制した後、上部口７よりモルタル又はコンクリートを圧入して硬化させ、原油又は天然ガスの湧出を閉鎖する。【選択図】図１【図１】
0004789051.tif 000002
【図２】
0004789051.tif 000003
【図３】
0004789051.tif 000004
【図４】
0004789051.tif 000005
【図５】
0004789051.tif 000006
【図６】
0004789051.tif 000007
【図７】
0004789051.tif 000008
【図８】
0004789051.tif 000009
【図９】
0004789051.tif 000010
【図１０】
0004789051.tif 000011
【図１１】
0004789051.tif 000012